(57)【要約】【課題】膨大な数の画像データが記憶媒体に記憶されている場合にも、ユーザの所望する画像データを簡単に見付けられるようにする。【解決手段】画像表示装置であるデジタルカメラを再生モードにし、サムネイル表示を指示すると、サムネイル表示画面９０が表示される。サムネイル表示画面９０には、静止画像ファイルをサムネイル表示するサムネイル表示部９１と、キーワード情報毎に重要度を設定するための重要度設定部９２とが設けられている。重要度設定部９２に設けられた操作部９５を操作し、その操作部９５に対応したキーワード情報に重要度を設定すると、その設定に応じてサムネイル画像９３の画像サイズが変化する。【選択図】図９
2011055190.tif 000002
【特許請求の範囲】
【請求項１】
複数の画像データのそれぞれに対応するサムネイル画像を生成し、前記各サムネイル画像を表示部に並べて表示することによって、前記各画像データのサムネイル表示を行う画像表示装置において、
前記画像データと、その画像データによって表される画像の内容を示す少なくとも１つのキーワード情報とを対応付けて記憶するファイルから前記各画像データの前記各キーワード情報を読み出し、それらの各キーワード情報を基に前記キーワード情報毎の重要度を設定するための重要度設定部を生成し、その重要度設定部を前記表示部に表示させる重要度設定制御手段と、
前記重要度設定部を介して設定された前記各キーワード情報の重要度に応じて前記各サムネイル画像の画像サイズを変化させるサムネイル表示制御手段とを設けたことを特徴とする画像表示装置。
【請求項２】
前記重要度設定制御手段は、前記キーワード情報の重要度の設定値を所定の画像サイズに対応付けており、
前記画像データに１つの前記キーワード情報しか対応付けられていない場合、そのキーワード情報に設定された重要度の画像サイズを当該画像データのサムネイル画像の画像サイズとして決定し、前記画像データに複数の前記キーワード情報が対応付けられている場合、それぞれのキーワード情報に設定された重要度の画像サイズの変動分の総和を算出し、その総和の分だけ拡大又は縮小させた画像サイズを当該画像データのサムネイル画像の画像サイズとして決定する画像サイズ決定手段を備え、
前記サムネイル表示制御手段は、前記画像サイズ決定手段が決定した画像サイズで前記各サムネイル画像を生成することにより、前記各サムネイル画像を前記各キーワード情報の重要度に応じた画像サイズに変化させることを特徴とする請求項１記載の画像表示装置。
【請求項３】
前記重要度には、前記サムネイル画像を非表示にする設定値があり、
前記画像サイズ決定手段は、前記画像データに複数の前記キーワード情報が対応付けられている際、それぞれのキーワード情報のいずれか１つでも非表示の重要度が設定されている場合には、非表示を優先とし、非表示を当該画像データのサムネイル画像の画像サイズとして決定することを特徴とする請求項２記載の画像表示装置。
【請求項４】
前記重要度には、前記サムネイル画像を所定の画像サイズよりも小さくならないようにする絶対表示の設定値があり、
前記画像サイズ決定手段は、前記画像データに複数の前記キーワード情報が対応付けられている際、それぞれのキーワード情報のいずれか１つでも絶対表示の重要度が設定されている場合には、絶対表示を優先とし、絶対表示を当該画像データのサムネイル画像の画像サイズとして決定することを特徴とする請求項２又は３記載の画像表示装置。
【請求項５】
前記重要度設定制御手段は、前記各画像データに対応付けられた前記各キーワード情報のうち、それぞれ示す内容の異なる前記各キーワード情報に対応した操作部を前記重要度設定部に設けるとともに、前記各画像データに多く記憶されている前記キーワード情報の順に前記各操作部を並べて表示することを特徴とする請求項１から４のいずれか１項に記載の画像表示装置。
【請求項６】
前記重要度設定制御手段は、前記各画像データに対応付けられた前記各キーワード情報のうち、それぞれ示す内容の異なる前記各キーワード情報に対応した操作部を前記重要度設定部に設けるとともに、
前記キーワード情報の種別に応じて前記重要度設定部に表示する前記操作部を分類することを特徴とする請求項１から５のいずれか１項に記載の画像表示装置。
【請求項７】
前記重要度には、前記サムネイル画像を非表示にする設定値があり、
前記サムネイル表示制御手段は、前記画像サイズ決定手段によって非表示の画像サイズが決定された場合、その画像データの前記サムネイル画像に代えて前記サムネイル画像よりも小さいアイコンを表示させ、前記各サムネイル画像の順序を維持することを特徴とする請求項２から６のいずれか１項に記載の画像表示装置。
【請求項８】
前記重要度設定制御手段は、前記各サムネイル画像と同一画面上に前記重要度設定部を表示させることを特徴とする請求項１から７のいずれか１項に記載の画像表示装置。
【請求項９】
前記ファイルに前記画像データと対応付けて前記キーワード情報を入力するためのキーワード入力手段を設けたことを特徴とする請求項１から８のいずれか１項に記載の画像表示装置。
【請求項１０】
前記ファイルは、前記画像データを記憶する画像データ記憶領域と、前記キーワード情報をメタデータとして記憶するメタデータ記憶領域とからなる画像ファイルであり、
前記重要度設定制御手段は、前記各画像ファイルのそれぞれから前記キーワード情報を読み出すことによって前記重要度設定部を生成することを特徴とする請求項１から９のいずれか１項に記載の画像表示装置。
【請求項１１】
複数の画像データのそれぞれに対応するサムネイル画像を生成し、前記各サムネイル画像を表示部に並べて表示することによって、前記各画像データのサムネイル表示を行う画像表示方法において、
前記画像データと、その画像データによって表される画像の内容を示す少なくとも１つのキーワード情報とを対応付けてファイルに記憶させるステップと、
前記ファイルから前記各画像データの前記各キーワード情報を読み出し、それらの各キーワード情報を基に前記キーワード情報毎の重要度を設定するための重要度設定部を生成し、その重要度設定部を前記表示部に表示させるステップと、
前記重要度設定部を介して設定された前記各キーワード情報の重要度に応じて前記各サムネイル画像の画像サイズを変化させるステップとを有することを特徴とする画像表示方法。
【発明の詳細な説明】
【技術分野】
【０００１】
本発明は、複数の画像データのサムネイル表示を行う画像表示装置及び画像表示方法に関する。
【背景技術】
【０００２】
デジタルの画像データを液晶ディスプレイなどの表示装置に表示する画像表示装置として、デジタルカメラやデジタルフォトフレームなどが知られている。こうした画像表示装置では、縮小表示された画像（以下、サムネイル画像と称す）によって画像データの選択を行えるようにする、いわゆるサムネイル表示が行われている。サムネイル表示では、サムネイル画像によって当該画像データの内容を概略的に確認することができるので、記憶媒体に複数の画像データが記憶されている場合にも、所望の画像データを見付けやすくすることができる。
【０００３】
近年では、記憶媒体の記憶容量の増加が進められており、数百から数千単位の膨大な数の画像データが記憶できるようになってきている。このように画像データの数が膨大になると、サムネイル表示を行ったとしても所望の画像データを見付けるのが難しい。そこで、特許文献１では、画像データの選択を行う際に、撮影日時などの検索条件を入力し、検索条件と一致する画像データだけをサムネイル表示するようにしている。このように、サムネイル表示する画像データの数を検索条件によって絞り込むようにすれば、膨大な数の画像データが記憶媒体に記憶されている場合にも、所望の画像データを比較的容易に見付けることができる。
【０００４】
また、特許文献１の構成では、複数の検索条件を入力し、各検索条件の全てと一致する画像データだけをサムネイル表示することもできる。画像データの数が膨大である場合には、１つの検索条件だけでは絞り込みが不十分で、依然として多数の画像データが残ってしまうことが懸念されるが、上記のように複数の検索条件の全てと一致するか否かを確認するようにすれば、より細かく絞り込みを行うことができる。
【先行技術文献】
【特許文献】
【０００５】
【特許文献１】特開２００７−１０１５７３号公報
【発明の概要】
【発明が解決しようとする課題】
【０００６】
しかしながら、複数の検索条件を入力して絞り込みを行うと、反対に画像データを絞り過ぎてしまい、ユーザの意図に反して所望の画像データが表示されなくなってしまう場合がある。このような場合には、意図に合った結果が得られるように、検索条件の入力を繰り返し行わなければならないが、こうした繰り返しの操作は、ユーザにとって非常に煩わしい。
【０００７】
このように、特許文献１の構成は、膨大な数の画像データが記憶媒体に記憶されている場合に、ユーザの所望する画像データを必ずしも簡単に見付けることができるものではなかった。このため、画像表示装置においては、所望する画像データをより簡単に見付けられるようにすることが望まれていた。
【０００８】
本発明は、上記課題を鑑みてなされたものであり、膨大な数の画像データが記憶媒体に記憶されている場合にも、ユーザの所望する画像データを簡単に見付けられるようにすることを目的とする。
【課題を解決するための手段】
【０００９】
上記目的を達成するため、本発明は、複数の画像データのそれぞれに対応するサムネイル画像を生成し、前記各サムネイル画像を表示部に並べて表示することによって、前記各画像データのサムネイル表示を行う画像表示装置において、前記画像データと、その画像データによって表される画像の内容を示す少なくとも１つのキーワード情報とを対応付けて記憶するファイルから前記各画像データの前記各キーワード情報を読み出し、それらの各キーワード情報を基に前記キーワード情報毎の重要度を設定するための重要度設定部を生成し、その重要度設定部を前記表示部に表示させる重要度設定制御手段と、前記重要度設定部を介して設定された前記各キーワード情報の重要度に応じて前記各サムネイル画像の画像サイズを変化させるサムネイル表示制御手段とを設けたことを特徴とする。
【００１０】
前記重要度設定制御手段は、前記キーワード情報の重要度の設定値を所定の画像サイズに対応付け、前記画像データに１つの前記キーワード情報しか対応付けられていない場合、そのキーワード情報に設定された重要度の画像サイズを当該画像データのサムネイル画像の画像サイズとして決定し、前記画像データに複数の前記キーワード情報が対応付けられている場合、それぞれのキーワード情報に設定された重要度の画像サイズの変動分の総和を算出し、その総和の分だけ拡大又は縮小させた画像サイズを当該画像データのサムネイル画像の画像サイズとして決定する画像サイズ決定手段を備え、前記サムネイル表示制御手段は、前記画像サイズ決定手段が決定した画像サイズで前記各サムネイル画像を生成することにより、前記各サムネイル画像を前記各キーワード情報の重要度に応じた画像サイズに変化させることが好ましい。
【００１１】
前記重要度には、前記サムネイル画像を非表示にする設定値があり、前記画像サイズ決定手段は、前記画像データに複数の前記キーワード情報が対応付けられている際、それぞれのキーワード情報のいずれか１つでも非表示の重要度が設定されている場合には、非表示を優先とし、非表示を当該画像データのサムネイル画像の画像サイズとして決定することが好ましい。
【００１２】
前記重要度には、前記サムネイル画像を所定の画像サイズよりも小さくならないようにする絶対表示の設定値があり、前記画像サイズ決定手段は、前記画像データに複数の前記キーワード情報が対応付けられている際、それぞれのキーワード情報のいずれか１つでも絶対表示の重要度が設定されている場合には、絶対表示を優先とし、絶対表示を当該画像データのサムネイル画像の画像サイズとして決定することが好ましい。
【００１３】
前記重要度設定制御手段は、前記各画像データに対応付けられた前記各キーワード情報のうち、それぞれ示す内容の異なる前記各キーワード情報に対応した操作部を前記重要度設定部に設けるとともに、前記各画像データに多く記憶されている前記キーワード情報の順に前記各操作部を並べて表示することが好ましい。
【００１４】
前記重要度設定制御手段は、前記各画像データに対応付けられた前記各キーワード情報のうち、それぞれ示す内容の異なる前記各キーワード情報に対応した操作部を前記重要度設定部に設けるとともに、前記キーワード情報の種別に応じて前記重要度設定部に表示する前記操作部を分類することが好ましい。
【００１５】
前記重要度には、前記サムネイル画像を非表示にする設定値があり、前記サムネイル表示制御手段は、前記画像サイズ決定手段によって非表示の画像サイズが決定された場合、その画像データの前記サムネイル画像に代えて前記サムネイル画像よりも小さいアイコンを表示させ、前記各サムネイル画像の順序を維持することが好ましい。
【００１６】
前記重要度設定制御手段は、前記各サムネイル画像と同一画面上に前記重要度設定部を表示させることが好ましい。
【００１７】
前記ファイルに前記画像データと対応付けて前記キーワード情報を入力するためのキーワード入力手段を設けると、より好適である。
【００１８】
前記ファイルは、前記画像データを記憶する画像データ記憶領域と、前記キーワード情報をメタデータとして記憶するメタデータ記憶領域とからなる画像ファイルであり、前記重要度設定制御手段は、前記各画像ファイルのそれぞれから前記キーワード情報を読み出すことによって前記重要度設定部を生成することが好ましい。
【００１９】
また、本発明は、複数の画像データのそれぞれに対応するサムネイル画像を生成し、前記各サムネイル画像を表示部に並べて表示することによって、前記各画像データのサムネイル表示を行う画像表示方法において、前記画像データと、その画像データによって表される画像の内容を示す少なくとも１つのキーワード情報とを対応付けてファイルに記憶させるステップと、前記ファイルから前記各画像データの前記キーワード情報を読み出し、それらの各キーワード情報を基に前記キーワード情報毎の重要度を設定するための重要度設定部を生成し、その重要度設定部を前記表示部に表示させるステップと、前記重要度設定部を介して設定された前記各キーワード情報の重要度に応じて前記各サムネイル画像の画像サイズを変化させるステップとを有することを特徴とする。
【発明の効果】
【００２０】
本発明では、画像データの内容を示すキーワード情報毎に重要度を設定し、その重要度に応じて各サムネイル画像の画像サイズを変化させるようにしたので、例えば、ユーザの意図に合うキーワード情報の重要度を高くするように各キーワード情報の重要度を設定した際に、ユーザの意図に合う画像データのサムネイル画像を拡大表示させることが可能になる。こうすれば、拡大表示されたサムネイル画像を参照することで、膨大な数の画像データが記憶媒体に記憶されている場合にも、ユーザの所望する画像データを簡単に見付けることができる。
【図面の簡単な説明】
【００２１】
【図１】デジタルカメラの正面斜視図である。
【図２】デジタルカメラの背面図である。
【図３】デジタルカメラの電気的構成を概略的に示すブロック図である。
【図４】静止画像ファイルの構成を示す説明図である。
【図５】再生モードの画面の一例を示す説明図である。
【図６】ダイアログボックスを画面に表示した状態を示す説明図である。
【図７】キーワード入力画面の一例を示す説明図である。
【図８】サムネイル表示画面の一例を示す説明図である。
【図９】各サムネイル画像の画像サイズを重要度の設定に応じて変化させた状態を示す説明図である。
【図１０】デジタルカメラの動作を概略的に示すフローチャートである。
【図１１】画像サイズ決定処理の手順を概略的に示すフローチャートである。
【図１２】重要度を低く設定できるようにした例を示す説明図である。
【図１３】重要度を増減させられるようにした例を示す説明図である。
【図１４】操作部をチェックボックス式のＧＵＩとした例を示す説明図である。
【図１５】操作部を分類して表示できるようにしたサムネイル表示画面の一例を示す説明図である。
【図１６】操作部を分類して表示する場合のキーワード入力画面の一例を示す説明図である。
【発明を実施するための形態】
【００２２】
図１に示すように、デジタルカメラ（画像表示装置）２は、略直方体状に形成されたカメラ本体４を有している。カメラ本体４の前面には、撮影レンズ１０を保持するレンズ鏡筒１１と、撮影実行の際に被写体を照射するフラッシュ発光部１２とが設けられている。カメラ本体４の上面には、撮影実行を指示するレリーズボタン１４と、電源のＯＮ／ＯＦＦを切り替える電源ボタン１５と、撮影レンズ１０をワイド側もしくはテレ側に変倍させるズーム操作を行うためのズームレバー１６とが設けられている。
【００２３】
レリーズボタン１４は、２段階押しのスイッチとなっている。レリーズボタン１４を軽く押す（半押し）と、ＡＦ（自動焦点調整）やＡＥ（自動露出調整）などの各種の撮影準備処理が実施される。この半押しした状態からレリーズボタン１４をさらに押し込む（全押し）と、デジタルカメラ２に撮影の実行が指示され、撮影準備処理が施された１画面分の撮像信号が画像データに変換される。
【００２４】
図２に示すように、カメラ本体４の背面には、液晶ディスプレイ（表示部）２０、モード選択ボタン２１、メニューボタン２２が設けられている。液晶ディスプレイ２０は、撮影した画像や撮影待機時のいわゆるスルー画、及び各種のメニュー画面などを表示する。デジタルカメラ２は、静止画像を取得する静止画撮影モード、動画像を取得する動画撮影モード、取得した各画像を液晶ディスプレイ２０に再生表示する再生モードなどの複数の動作モードを有している。モード選択ボタン２１は、デジタルカメラ２の各動作モードを切り替える際に操作される。デジタルカメラ２の動作モードは、モード選択ボタン２１の押下操作に応じて順次切り替えられる。メニューボタン２２は、液晶ディスプレイ２０に各種の設定メニューを表示させる際に操作される。
【００２５】
また、液晶ディスプレイ２０の前面には、タッチパネル２４（図３参照）が設けられている。タッチパネル２４は、その表面がカメラ本体４の背面と略面一になるように取り付けられている。タッチパネル２４は、指や専用のペンなどで表面が押圧された際に、その位置を検出する。
【００２６】
このデジタルカメラ２では、液晶ディスプレイ２０に表示されるアイコンや画像に合わせて、タッチパネル２４の表面を指で押圧したり、押圧した状態のまま指を移動させたりすることにより、撮影機能の設定や表示する画像の切り替えなどといった各種の操作を直感的に行うことができる。
【００２７】
図３に示すように、レンズ鏡筒１１には、モータ３０が接続されている。モータ３０は、ギヤなどの伝達機構を介してレンズ鏡筒１１に駆動力を伝えることにより、レンズ鏡筒１１の繰り出し／繰り込みを行う。図３では便宜的に図示を簡略化しているが、撮影レンズ１０は、複数枚のレンズからなるレンズ群であり、レンズ鏡筒１１の繰り出し／繰り込みに応じて各レンズの間隔を変化させることによって倍率を変化させる。また、撮影レンズ１０には、倍率を変化させる光学系の他に、開口面積を変化させることによって撮影レンズ１０から出射される光の量を調節する絞り機構や、光軸方向に移動することによって撮影レンズ１０の焦点を調節するフォーカスレンズが設けられている。
【００２８】
モータ３０は、モータドライバ３２に接続されている。モータドライバ３２は、デジタルカメラ２の全体を統括的に制御するＣＰＵ（重要度設定制御手段）３４に接続されており、このＣＰＵ３４からの制御信号に基づいてモータ３０に駆動パルスを送信する。モータ３０は、この駆動パルスに応じて回転軸を回転駆動する。
【００２９】
撮影レンズ１０の背後には、撮影レンズ１０によって結像された被写体像を撮像するＣＣＤ３６が配置されている。ＣＣＤ３６には、ＣＰＵ３４によって制御されるタイミングジェネレータ（ＴＧ）３８が接続され、このＴＧ３８から入力されるタイミング信号（クロックパルス）により、電子シャッタのシャッタ速度が決定される。
【００３０】
ＣＣＤ３６から出力された画像データは、相関二重サンプリング回路（ＣＤＳ）４０に入力され、ＣＣＤ３６の各セルの蓄積電荷量に正確に対応したＲ、Ｇ、Ｂの画像データとして出力される。ＣＤＳ４０から出力された画像データは、増幅器（ＡＭＰ）４１で増幅され、Ａ／Ｄ変換器（Ａ／Ｄ）４２でデジタルの画像データに変換される。
【００３１】
画像入力コントローラ４３は、バス４４を介してＣＰＵ３４に接続され、ＣＰＵ３４の制御命令に応じて、ＣＣＤ３６、ＣＤＳ４０、ＡＭＰ４１、及びＡ／Ｄ４２の各部を制御する。Ａ／Ｄ４２から出力された画像データは、ＳＤＲＡＭ４５に一時的に記録される。
【００３２】
画像信号処理回路４６は、ＳＤＲＡＭ４５から画像データを読み出して、階調変換、ホワイトバランス補正、γ補正処理などの各種画像処理を施し、この画像データを再度ＳＤＲＡＭ４５に記録する。ＹＣ変換処理回路４７は、画像信号処理回路４６で各種処理を施された画像データをＳＤＲＡＭ４５から読み出し、輝度信号Ｙと色差信号Ｃｒ、Ｃｂとに変換する。液晶ドライバ４８は、画像信号処理回路４６、ＹＣ変換処理回路４７を経た画像データをＳＤＲＡＭ４５から読み出し、アナログのコンポジット信号に変換して液晶ディスプレイ２０に表示する。
【００３３】
圧縮伸長処理回路５０は、ＹＣ変換処理回路４７でＹＣ変換された画像データを、例えば、ＴＩＦＦやＪＰＥＧなどといった圧縮形式のファイルフォーマットに変換し、静止画像ファイル５４（図４参照）を生成する。メディアコントローラ５１は、メディアスロットに着脱自在に装着されたメモリカード５２にアクセスし、生成された静止画像ファイル５４の読み書きを行う。
【００３４】
図４に示すように、メモリカード５２は、複数の静止画像ファイル５４を記憶することができる。静止画像ファイル５４は、画像データ記憶領域５５と、メタデータ記憶領域５６とを有している。画像データ記憶領域５５は、シャッタレリーズ時の被写体像を示す画像データ５７を記憶している。メタデータ記憶領域５６は、当該画像データ５７によって表される静止画像の内容を示すキーワード情報５８をメタデータとして記憶する。メタデータ記憶領域５６は、複数のキーワード情報５８を記憶することができる。
【００３５】
キーワード情報５８とは、例えば、撮影日時、撮影場所、被写体（人物、動物、植物、建築物など）の名前、撮影時のイベント名（運動会、花見、旅行など）、撮影シーン（日中、夜景、水中など）などである。これらのキーワード情報５８のうち、撮影日時の情報は、静止画像ファイル５４の生成時に自動的に入力される。
【００３６】
ＣＰＵ３４には、デジタルカメラ２に時計機能を付与するカウンタ６０が設けられている。ＣＰＵ３４は、レリーズボタン１４が押下されて撮影の実行が指示されると、各部を制御して静止画像ファイル５４を生成するとともに、カウンタ６０を参照し、例えば２００９年７月２日１５時１３分２６秒といったように、レリーズボタン１４を押下した時の年月日及び時刻の文字列を撮影日時のキーワード情報５８として当該静止画像ファイル５４のメタデータ記憶領域５６に書き込む。また、撮影日時以外のキーワード情報５８は、撮影が完了した後にユーザが任意に入力することができる。
【００３７】
バス４４には、上記の他に、フラッシュ制御部６２、ＡＥ／ＡＷＢ検出回路６３、及びＡＦ検出回路６４などが接続されている。フラッシュ制御部６２は、ＣＰＵ３４から送信されるフラッシュ発光信号に応じてフラッシュ発光部１２を発光させる。ＡＥ／ＡＷＢ検出回路６３は、ＹＣ変換処理回路４７でＹＣ変換された画像データの輝度信号Ｙと色差信号Ｃｒ、Ｃｂとの積算値を基に、被写体の輝度を表す測光値を算出し、この算出結果をＣＰＵ３４に送信する。ＣＰＵ３４は、ＡＥ／ＡＷＢ検出回路６３から送信された測光値を基に、露出量、及びホワイトバランスの適否を判断し、撮影レンズ１０の絞り機構やＣＣＤ３６などの動作を制御する。
【００３８】
ＡＦ検出回路６４は、Ａ／Ｄ４２でデジタル化された画像データを基に撮影レンズ１０の合焦位置を算出し、その算出結果をＣＰＵ３４に送信する。ＣＰＵ３４は、レリーズボタン１４の半押しにともなう撮影準備処理の際にＡＦ検出回路６４に合焦位置を算出させ、その算出結果に応じて撮影レンズ１０のフォーカスレンズの位置を調節することにより、撮影レンズ１０を合焦させる。
【００３９】
また、ＣＰＵ３４には、レリーズボタン１４、ズームレバー１６、モード選択ボタン２１、メニューボタン２２、タッチパネル２４といった各種の操作部材が接続されている。これらの各操作部材は、操作を検出し、その検出結果をＣＰＵ３４に入力する。
【００４０】
モード選択ボタン２１を押下してデジタルカメラ２を再生モードにすると、ＣＰＵ３４は、メモリカード５２にアクセスし、キーワード情報５８を基に撮影日時の最も古い静止画像ファイル５４を読み出す。そして、図５に示すように、その静止画像ファイル５４の画像データ５７に応じた静止画像７０を液晶ディスプレイ２０に表示させる。また、この際、ＣＰＵ３４は、静止画像７０とともに送りボタン７１と戻しボタン７２とを液晶ディスプレイ２０に表示させる。
【００４１】
ＣＰＵ３４は、送りボタン７１のタッチ操作がタッチパネル２４によって検出されると、現在静止画像７０を表示させている静止画像ファイル５４の次に取得された静止画像ファイル５４をメモリカード５２から読み出し、その静止画像ファイル５４の画像データ５７に応じた静止画像７０を液晶ディスプレイ２０に表示させる。一方、ＣＰＵ３４は、戻しボタン７２のタッチ操作がタッチパネル２４によって検出されると、現在静止画像７０を表示させている静止画像ファイル５４の前に取得された静止画像ファイル５４をメモリカード５２から読み出し、その静止画像ファイル５４の画像データ５７に応じた静止画像７０を液晶ディスプレイ２０に表示させる。
【００４２】
このように、再生モードでは、各ボタン７１、７２をタッチ操作することで、メモリカード５２に記憶された各静止画像ファイル５４の静止画像７０を撮影日時順に送りながら参照することができる。
【００４３】
ＣＰＵ３４は、再生モード中にメニューボタン２２の押下が検出されると、図６に示すように、現在静止画像７０を表示させている静止画像ファイル５４へのキーワード情報５８の入力を指示するためのキーワード入力ボタン７５と、メモリカード５２に記憶された各静止画像ファイル５４のサムネイル表示を指示するためのサムネイル表示ボタン７６とが設けられたダイアログボックス７４を液晶ディスプレイ２０に表示させる。
【００４４】
ＣＰＵ３４は、タッチパネル２４によってキーワード入力ボタン７５のタッチ操作が検出されると、図７に示すキーワード入力画面（キーワード入力手段）８０を液晶ディスプレイ２０に表示させる。キーワード入力画面８０には、画像表示部８１と、キーワード入力部８２と、入力済みキーワード表示部８３とが設けられている。画像表示部８１には、キーワード情報５８を入力する静止画像ファイル５４の静止画像７０を縮小させた縮小画像８４が表示される。キーワード入力部８２には、数字やアルファベットの入力、及び変換や入力の実行などを指示するための各種のボタンが配列されたキーボード８５と、キーボード８５によって入力された文字列を表示するための入力ボックス８６とが設けられている。入力済みキーワード表示部８３には、当該静止画像ファイル５４に対して既に入力されているキーワード情報５８が表示される。
【００４５】
ＣＰＵ３４は、キーワード入力ボタン７５のタッチ操作によって、静止画像７０が表示された静止画像ファイル５４へのキーワード情報５８の入力が指示されると、その静止画像ファイル５４の画像データ５７を基に縮小画像８４を生成するとともに、その静止画像ファイル５４のメタデータ記憶領域５６を参照し、メタデータ記憶領域５６に記憶されたキーワード情報５８を読み出す。そして、生成した縮小画像８４を画像表示部８１に表示させるとともに、読み出したキーワード情報５８を入力済みキーワード表示部８３に表示させることにより、キーワード入力画面８０を構成し、そのキーワード入力画面８０を液晶ディスプレイ２０に表示させる。
【００４６】
キーワード入力画面８０では、キーボード８５を介して入力ボックス８６に所定の文字列を入力した後、キーボード８５に設けられた入力実行ボタンをタッチ操作する。これにより、入力ボックス８６に入力された文字列がキーワード情報５８として当該静止画像ファイル５４のメタデータ記憶領域５６に書き込まれる。また、入力実行ボタンをタッチ操作すると、入力ボックス８６の文字列が消去され、入力済みのキーワード情報５８として入力済みキーワード表示部８３に表示される。
【００４７】
キーワード入力画面８０によるキーワード情報５８の入力は、メニューボタン２２を押下することによって表示されるダイアログボックスから入力終了を指示するか、モード選択ボタン２１を押下してデジタルカメラ２の動作モードを切り替えることで終了する。メニューボタン２２を押下して入力終了を指示した場合には、キーワード入力画面８０から図５に示す再生モードの画面に液晶ディスプレイ２０の表示が切り替えられる。モード選択ボタン２１を押下してデジタルカメラ２の動作モードを静止画撮影モードもしくは動画撮影モードに切り替えた場合には、キーワード入力画面８０からスルー画に液晶ディスプレイ２０の表示が切り替えられる。
【００４８】
一方、ＣＰＵ３４は、ダイアログボックス７４を液晶ディスプレイ２０に表示させた後、タッチパネル２４によってサムネイル表示ボタン７６のタッチ操作が検出されると、図８に示すサムネイル表示画面９０を液晶ディスプレイ２０に表示させる。サムネイル表示画面９０には、メモリカード５２に記憶された各静止画像ファイル５４をサムネイル表示するサムネイル表示部９１と、メモリカード５２に記憶された各静止画像ファイル５４に含まれるキーワード情報５８毎に重要度を設定するための重要度設定部９２とが設けられている。
【００４９】
サムネイル表示部９１には、メモリカード５２に記憶された各静止画像ファイル５４のそれぞれに対応した複数のサムネイル画像９３が並べて表示されている。サムネイル表示画面９０では、サムネイル画像９３をタッチ操作することで、静止画像ファイル５４の選択を行うことができる。サムネイル画像９３をタッチ操作すると、サムネイル表示画面９０から図５に示す再生モードの画面に液晶ディスプレイ２０の表示が切り替えられ、タッチ操作したサムネイル画像９３に対応する静止画像ファイル５４の静止画像７０が表示される。
【００５０】
サムネイル表示部９１の右端には、タッチ操作に応じて上下方向にスライドするスクロールバー９４が設けられている。サムネイル表示部９１は、各サムネイル画像９３が一画面内に納まらない場合に、スクロールバー９４をタッチ操作して画面を上下方向にスクロールさせることにより、全ての各サムネイル画像９３が表示できるように構成されている。
【００５１】
重要度設定部９２には、メモリカード５２に記憶された各静止画像ファイル５４に含まれる各キーワード情報５８のそれぞれに対応した複数の操作部９５が設けられている。操作部９５は、スライドバー式のＧＵＩであり、キーワード情報５８として入力された文字列を表示するためのタグ９６と、タグ９６に表示されたキーワード情報５８の重要度を設定するためのスライダー９７とで構成されている。
【００５２】
重要度設定部９２の下端には、タッチ操作に応じて横方向にスライドするスクロールバー９８が設けられている。重要度設定部９２は、各操作部９５が一画面内に納まらない場合に、スクロールバー９８をタッチ操作して画面を横方向にスクロールさせることにより、全ての各操作部９５が表示できるように構成されている。
【００５３】
また、重要度設定部９２には、１００％表示、＋１０％表示、＋２０％表示、＋３０％表示、及び非表示の５本の設定ラインが設けられている。これらの各設定ラインは、各操作部９５とともにキーワード情報５８の重要度を設定するために用いられる。重要度設定部９２では、操作部９５のスライダー９７をタッチ操作し、スライダー９７を任意の設定ライン上に配置することにより、その操作部９５に対応したキーワード情報５８に、設定ラインに応じた重要度が設定される。
【００５４】
各設定ラインは、非表示の設定ラインが最も重要度が低く、１００％表示、＋１０％表示、＋２０％表示、＋３０％表示の順に重要度が高くなるように設定されている。１００％表示の設定ラインにスライダー９７を配置すると、当該スライダー９７に対応するキーワード情報５８に１００％表示の重要度が設定され、このキーワード情報５８を含む静止画像ファイル５４のサムネイル画像９３を、基準値である１００％の画像サイズで表示させることがＣＰＵ３４に指示される。
【００５５】
＋１０％表示の設定ラインにスライダー９７を配置すると、当該スライダー９７に対応するキーワード情報５８に＋１０％表示の重要度が設定され、このキーワード情報５８を含む静止画像ファイル５４のサムネイル画像９３を、１１０％の画像サイズで表示させることがＣＰＵ３４に指示される。同様に、＋２０％表示、＋３０％表示の設定ラインにスライダー９７を配置すると、それぞれ＋２０％表示、＋３０％表示の重要度が設定され、１２０％、１３０％の画像サイズでサムネイル画像９３を表示させることがＣＰＵ３４に指示される。
【００５６】
非表示の設定ラインにスライダー９７を配置すると、当該スライダー９７に対応するキーワード情報５８に非表示の重要度が設定され、このキーワード情報５８を含む静止画像ファイル５４のサムネイル画像９３を、非表示にすることがＣＰＵ３４に指示される。
【００５７】
このように、重要度設定部９２では、キーワード情報５８の重要度をサムネイル画像９３の画像サイズに対応付けて設定する。これにより、キーワード情報５８の重要度を高くするほど、そのキーワード情報５８を含む静止画像ファイル５４のサムネイル画像９３の画像サイズが大きくなる。
【００５８】
ＣＰＵ３４は、サムネイル表示ボタン７６のタッチ操作によって各静止画像ファイル５４のサムネイル表示が指示されると、メモリカード５２にアクセスし、メモリカード５２に記憶された各静止画像ファイル５４のメタデータ記憶領域５６のそれぞれから全てのキーワード情報５８を読み出す。そして、読み出した各キーワード情報５８を基に、重要度設定部９２に表示させる各操作部９５を生成する。この際、ＣＰＵ３４は、異なる静止画像ファイル５４に同じ文字列を示すキーワード情報５８が記憶されている場合、これらを１つのキーワード情報５８として扱う。
【００５９】
例えば、静止画像ファイルＡに「タロウ」というキーワード情報５８と、「運動会」というキーワード情報５８とが記憶され、静止画像ファイルＢに「ジロウ」というキーワード情報５８と、「運動会」というキーワード情報５８とが記憶されている場合、ＣＰＵ３４は、「運動会」の２つのキーワード情報５８を１つの同じキーワード情報５８として扱い、「タロウ」、「ジロウ」、「運動会」のキーワード情報５８に対応する３つの操作部９５を生成する。
【００６０】
ＣＰＵ３４は、各操作部９５を生成すると、それらを重要度設定部９２に表示する。この際、ＣＰＵ３４は、各静止画像ファイル５４に多く記憶されているキーワード情報５８の順に各操作部９５を重要度設定部９２に表示する。例えば、「タロウ」というキーワード情報５８が６つの静止画像ファイル５４に記憶され、「ジロウ」というキーワード情報５８が５つの静止画像ファイル５４に記憶され、「運動会」というキーワード情報５８が４つの静止画像ファイル５４に記憶されている場合、ＣＰＵ３４は、左端から「タロウ」、「ジロウ」、「運動会」の順に、各操作部９５を重要度設定部９２に表示する。
【００６１】
これにより、メモリカード５２に記憶された各静止画像ファイル５４に含まれる各キーワード情報５８のうち、それぞれ示す内容（入力された文字列）の異なる各キーワード情報５８に対応した各操作部９５が重要度設定部９２に設けられる。
【００６２】
なお、各静止画像ファイル５４に多く記憶されているキーワード情報５８は、ユーザの所望するキーワード情報５８である可能性が高い。従って、上記のように、各静止画像ファイル５４に多く記憶されているキーワード情報５８の順に各操作部９５を重要度設定部９２に表示するようにすれば、重要度設定部９２における重要度の設定の操作性を高めることができる。
【００６３】
ＣＰＵ３４には、サムネイル表示制御部６５と、画像サイズ決定部６６とが設けられている。サムネイル表示制御部６５は、サムネイル表示ボタン７６のタッチ操作によって各静止画像ファイル５４のサムネイル表示が指示された際に、メモリカード５２に記憶された各静止画像ファイル５４を読み出し、各静止画像ファイル５４の画像データ５７を基に、各静止画像ファイル５４のサムネイル画像９３を生成する。この際、サムネイル表示制御部６５は、基準値である１００％の画像サイズで各サムネイル画像９３を生成する。そして、サムネイル表示制御部６５は、メタデータ記憶領域５６に記憶された撮影日時のキーワード情報５８を基に、生成した各サムネイル画像９３を取得された順に並べることにより、各サムネイル画像９３をサムネイル表示部９１にサムネイル表示させる。
【００６４】
このように、サムネイル表示を指示すると、図８に示すように、１００％の画像サイズの各サムネイル画像９３がサムネイル表示部９１に表示され、かつ各スライダー９７が１００％表示の設定ライン上に配置された各操作部９５が重要度設定部９２に表示されたサムネイル表示画面９０が構成され、そのサムネイル表示画面９０が液晶ディスプレイ２０に表示される。
【００６５】
画像サイズ決定部６６は、サムネイル表示画面９０が液晶ディスプレイ２０に表示された後、各スライダー９７のいずれかがタッチ操作されたこと、すなわち各キーワード情報５８の重要度の設定が行われたことに応答して各サムネイル画像９３の画像サイズを決定する処理を開始する。
【００６６】
画像サイズ決定部６６は、処理を開始すると、１つの静止画像ファイル５４をメモリカード５２から読み出す。そして、その静止画像ファイル５４のメタデータ記憶領域５６を参照し、その静止画像ファイル５４に含まれる全てのキーワード情報５８を読み出す。この後、画像サイズ決定部６６は、読み出したキーワード情報５８に対応する操作部９５のスライダー９７の位置を参照することにより、そのキーワード情報５８に設定された重要度を確認する。静止画像ファイル５４に複数のキーワード情報５８が記憶されている場合には、各キーワード情報５８のそれぞれの重要度を確認する。画像サイズ決定部６６は、キーワード情報５８の重要度を確認したら、その重要度に応じて当該静止画像ファイル５４のサムネイル画像９３の画像サイズを決定する。
【００６７】
画像サイズ決定部６６は、静止画像ファイル５４に１つのキーワード情報５８しか記憶されていない場合、そのキーワード情報５８に設定された重要度の画像サイズを当該静止画像ファイル５４のサムネイル画像９３の画像サイズとして決定する。一方、画像サイズ決定部６６は、静止画像ファイル５４に複数のキーワード情報５８が記憶されている場合、各キーワード情報５８に設定された重要度の画像サイズの増加分の総和を算出し、その総和の分だけ拡大させた画像サイズを当該静止画像ファイル５４のサムネイル画像９３の画像サイズとして決定する。
【００６８】
例えば、静止画像ファイルＣに「タロウ」、「ジロウ」、「運動会」の３つのキーワード情報５８が記憶され、「タロウ」のキーワード情報５８に＋３０％表示の重要度が設定され、「ジロウ」のキーワード情報５８に＋３０％表示の重要度が設定され、「運動会」のキーワード情報５８に１００％表示の重要度が設定されている場合、各重要度の画像サイズの増加分の総和は、（３０％＋３０％＋０％）＝６０％であるから、画像サイズ決定部６６は、６０％拡大させた１６０％を当該静止画像ファイル５４のサムネイル画像９３の画像サイズとして決定する。但し、サムネイル画像９３の画像サイズを際限なく拡大させてしまうと、サムネイル表示部９１が見辛くなってしまう恐れがあるので、画像サイズ決定部６６は、２００％を上限として画像サイズの決定を行う。なお、この上限値は、２００％に限ることなく、液晶ディスプレイ２０の画面の大きさなどに応じて適宜設定すればよい。
【００６９】
また、画像サイズ決定部６６は、各キーワード情報５８に設定された重要度の画像サイズのいずれか１つでも非表示の重要度が設定されている場合には、他のキーワード情報５８に拡大を指示する高い重要度が設定されていたとしても、非表示を優先とし、非表示を当該静止画像ファイル５４のサムネイル画像９３の画像サイズとして決定する。
【００７０】
例えば、静止画像ファイルＤに「タロウ」、「ジロウ」、「運動会」の３つのキーワード情報５８が記憶され、「タロウ」のキーワード情報５８に＋３０％表示の重要度が設定され、「ジロウ」のキーワード情報５８に＋３０％表示の重要度が設定され、「運動会」のキーワード情報５８に非表示の重要度が設定されている場合、画像サイズ決定部６６は、「タロウ」、「ジロウ」のキーワード情報５８の重要度よりも「運動会」のキーワード情報５８の重要度を優先させ、非表示を当該静止画像ファイル５４のサムネイル画像９３の画像サイズとして決定する。
【００７１】
画像サイズ決定部６６は、上記の処理をメモリカード５２に記憶された全ての静止画像ファイル５４に対して行うことにより、重要度が設定された後の各静止画像ファイル５４のサムネイル画像９３の画像サイズを決定する。また、画像サイズ決定部６６は、画像サイズを決定する毎に、その画像サイズの情報をサムネイル表示制御部６５に送信する。
【００７２】
サムネイル表示制御部６５は、画像サイズ決定部６６から画像サイズの情報を受信すると、その情報が示す画像サイズで、対応する静止画像ファイル５４のサムネイル画像９３を生成し直し、そのサムネイル画像９３をサムネイル表示部９１に表示する。そして、サムネイル表示制御部６５は、画像サイズの情報を受信する毎に上記処理を繰り返すことにより、図９に示すようにサムネイル表示画面９０を更新する。これにより、重要度設定部９２での各キーワード情報５８の重要度の設定に応じて、サムネイル表示部９１の各サムネイル画像９３の画像サイズが変化する。
【００７３】
また、サムネイル表示制御部６５は、決定された画像サイズが非表示である場合、当該静止画像ファイル５４のサムネイル画像９３に代えて微小なアイコン１００を表示させ、各サムネイル画像９３の順序を維持する。このアイコン１００をタッチ操作すると、サムネイル画像９３の場合と同様に、サムネイル表示画面９０から図５に示す再生モードの画面に液晶ディスプレイ２０の表示が切り替えられ、タッチ操作したアイコン１００に対応する静止画像ファイル５４の静止画像７０が表示される。
【００７４】
このようにアイコン１００を表示させ、非表示になった静止画像ファイル５４があることをユーザに報知するようにすれば、所望する静止画像ファイル５４であるか否かを前後のサムネイル画像９３から最終的にユーザに判断させることが可能になり、より使い勝手を向上させることができる。なお、アイコン１００は、１００％の画像サイズのサムネイル画像９３よりも小さく、かつタッチ操作が可能な程度の大きさであればよい。また、図９では、矩形状のアイコン１００を示したが、アイコン１００の形状は、上記の条件を満たす任意の形状でよい。さらには、画像の内容が認識できない程度まで縮小させたサムネイル画像９３をアイコン１００としてもよい。
【００７５】
次に、図１０に示すフローチャートを参照しながら、上記構成によるデジタルカメラ２の作用について説明する。モード選択ボタン２１を押下してデジタルカメラ２を再生モードにすると、撮影日時の最も古い静止画像ファイル５４の静止画像７０が液晶ディスプレイ２０に表示される（図５参照）。再生モードでは、送りボタン７１又は戻しボタン７２をタッチ操作することで、メモリカード５２に記憶された各静止画像ファイル５４の静止画像７０を撮影日時順に送りながら参照することができる。
【００７６】
メモリカード５２に膨大な数の静止画像ファイル５４が記憶されている場合、送りボタン７１をタッチ操作して静止画像７０を順次送りながら所望の静止画像ファイル５４の静止画像７０を表示させることは、非常に煩わしく、時間も掛かってしまう。そこで、こうした場合には、再生モードにある状態でメニューボタン２２を押下し、液晶ディスプレイ２０にダイアログボックス７４（図６参照）を表示させる。そして、サムネイル表示ボタン７６をタッチ操作し、メモリカード５２に記憶された各静止画像ファイル５４のサムネイル表示を指示する。
【００７７】
各静止画像ファイル５４のサムネイル表示を指示すると、１００％の画像サイズの各サムネイル画像９３がサムネイル表示部９１に表示され、各スライダー９７が１００％表示の設定ライン上に配置された各操作部９５が重要度設定部９２に表示されたサムネイル表示画面９０（図８参照）が液晶ディスプレイ２０に表示される。
【００７８】
ユーザは、所望の静止画像ファイル５４を選択する際、重要度設定部９２に設けられた各操作部９５のスライダー９７をタッチ操作し、各キーワード情報５８の重要度を設定する。この際、ユーザは、自身の意図に合うキーワード情報５８の重要度は高く、自身の意図に合わないキーワード情報５８の重要度は低くする。
【００７９】
重要度の設定を行うと、各サムネイル画像９３の画像サイズを決定する処理が、画像サイズ決定部６６によって行われる。図１１のフローチャートに示すように、画像サイズ決定部６６は、画像サイズの決定処理を開始すると、まずメモリカード５２に記憶された静止画像ファイル５４の総数Ｎを取得する。画像サイズ決定部６６は、総数Ｎを取得した後、Ｎ番目の静止画像ファイル５４をメモリカード５２から読み出す。この後、画像サイズ決定部６６は、その静止画像ファイル５４のメタデータ記憶領域５６を参照し、基準値である１００％以外の重要度を検索条件とし、検索条件として設定されているキーワード情報５８の数Ｍを取得する。
【００８０】
画像サイズ決定部６６は、数Ｍを取得したら、その静止画像ファイル５４のメタデータ記憶領域５６を参照してＭ番目の検索条件の重要度を取得し、数Ｍの値を１減算する。そして、画像サイズ決定部６６は、この処理を数Ｍの値が０になるまで繰り返し、検索条件として設定されている各キーワード情報５８の重要度を取得する。
【００８１】
この後、画像サイズ決定部６６は、取得した各重要度の画像サイズの増加分の総和を算出する。画像サイズ決定部６６は、総和を算出したら、その総和の分だけ拡大させた画像サイズをＮ番目の静止画像ファイル５４のサムネイル画像９３の画像サイズとして決定する。なお、取得した数Ｍが０であった場合、すなわち検索条件としてのキーワード情報５８が設定されていない場合には、増加分の総和が０であるから、１００％を画像サイズとして決定すればよい。
【００８２】
画像サイズ決定部６６は、画像サイズを決定したら、その画像サイズの情報をサムネイル表示制御部６５に送信する。サムネイル表示制御部６５は、画像サイズ決定部６６から画像サイズの情報を受信したら、その情報が示す画像サイズでＮ番目の静止画像ファイル５４のサムネイル画像９３を生成し、そのサムネイル画像９３をサムネイル表示部９１に表示させる。
【００８３】
画像サイズ決定部６６は、画像サイズの情報をサムネイル表示制御部６５に送信した後、数Ｎの値を１減算する。そして、数Ｎの値が０になるまで、すなわちメモリカード５２に記憶された全ての静止画像ファイル５４に対して上記の処理を繰り返す。これにより、重要度設定部９２での各キーワード情報５８の重要度の設定に応じて、サムネイル表示部９１の各サムネイル画像９３の画像サイズが変化し、サムネイル表示画面９０が更新される。
【００８４】
ユーザの意図に合うキーワード情報５８の重要度を高くするように各キーワード情報５８の重要度を設定したので、サムネイル表示画面９０が更新されると、ユーザの意図に合う静止画像ファイル５４のサムネイル画像９３が拡大表示される。これにより、拡大表示されたサムネイル画像９３を参照することで、膨大な数の静止画像ファイル５４がメモリカード５２に記憶されている場合にも、ユーザの所望する静止画像ファイル５４を簡単に見付けることができる。
【００８５】
ユーザは、所望する静止画像ファイル５４のサムネイル画像９３を見付けたら、そのサムネイル画像９３をタッチ操作する。サムネイル画像９３をタッチ操作すると、サムネイル表示画面９０から図５に示す再生モードの画面に液晶ディスプレイ２０の表示が切り替えられ、タッチ操作したサムネイル画像９３に対応する静止画像ファイル５４の静止画像７０が表示される。
【００８６】
上記実施形態では、１００％表示、＋１０％表示、＋２０％表示、＋３０％表示、及び非表示の５本の設定ラインを重要度設定部９２に設け、キーワード情報５８の重要度を高くするほど、そのキーワード情報５８を含む静止画像ファイル５４のサムネイル画像９３の画像サイズを大きくするようにしたが、これに限ることなく、図１２に示す重要度設定部１１０のように構成してもよい。
【００８７】
重要度設定部１１０には、１００％表示、−１０％表示、−２０％表示、−３０％表示、及び絶対表示の５本の設定ラインが設けられている。各設定ラインは、−３０％表示の設定ラインが最も重要度が低く、−２０％表示、−１０％表示、１００％表示、絶対表示の順に重要度が高くなるように設定されている。
【００８８】
１００％表示の設定ラインは、上記実施形態の重要度設定部９２と同様に、１００％の画像サイズでサムネイル画像９３を表示させることをＣＰＵ３４に指示するためのものである。−１０％表示、−２０％表示、−３０％表示の各設定ラインは、それぞれ９０％、８０％、７０％の画像サイズでサムネイル画像９３を表示させることをＣＰＵ３４に指示するためのものである。絶対表示の設定ラインは、他のキーワード情報５８に縮小を指示する重要度が設定されていたとしても、優先的に１００％の画像サイズでサムネイル画像９３を表示させることをＣＰＵ３４に指示するためのものである。
【００８９】
このように、重要度を１００％表示よりも低く設定する設定ラインを設け、キーワード情報５８の重要度を低くするほど、そのキーワード情報５８を含む静止画像ファイル５４のサムネイル画像９３の画像サイズを小さくするようにしてもよい。
【００９０】
なお、この場合、画像サイズ決定部６６は、各キーワード情報５８に設定された重要度の画像サイズの減少分の総和を算出し、その総和の分だけ縮小させた画像サイズを当該静止画像ファイル５４のサムネイル画像９３の画像サイズとして決定する。例えば、静止画像ファイルＥに「タロウ」、「ジロウ」、「運動会」の３つのキーワード情報５８が記憶され、「タロウ」のキーワード情報５８に−３０％表示の重要度が設定され、「ジロウ」のキーワード情報５８に−２０％表示の重要度が設定され、「運動会」のキーワード情報５８に１００％表示の重要度が設定されている場合、各重要度の画像サイズの減少分の総和は、（−３０％−２０％−０％）＝−５０％であるから、画像サイズ決定部６６は、５０％縮小させた５０％を当該静止画像ファイル５４のサムネイル画像９３の画像サイズとして決定する。
【００９１】
また、画像サイズ決定部６６は、各キーワード情報５８に設定された重要度の画像サイズのいずれか１つでも絶対表示の重要度が設定されている場合には、他のキーワード情報５８に縮小を指示する重要度が設定されていたとしても、絶対表示を優先とし、１００％表示を当該静止画像ファイル５４のサムネイル画像９３の画像サイズとして決定する。なお、優先的に１００％表示させることに代えて、サムネイル画像９３の周囲を点滅させるなどして当該静止画像ファイル５４のサムネイル画像９３を強調表示するようにしてもよい。
【００９２】
さらには、図１３に示す重要度設定部１１２のように、−２０％表示、−１０％表示、１００％表示、＋１０％表示、＋２０％表示の設定ラインを設け、キーワード情報５８の重要度に応じて静止画像ファイル５４のサムネイル画像９３の画像サイズを拡大又は縮小させるようにしてもよい。なお、この場合、画像サイズ決定部６６は、各キーワード情報５８に設定された重要度の画像サイズの変動分の総和を算出し、その総和の分だけ拡大又は縮小させた画像サイズを当該静止画像ファイル５４のサムネイル画像９３の画像サイズとして決定すればよい。
【００９３】
例えば、静止画像ファイルＦに「タロウ」、「ジロウ」、「運動会」の３つのキーワード情報５８が記憶され、「タロウ」のキーワード情報５８に＋２０％表示の重要度が設定され、「ジロウ」のキーワード情報５８に１００％表示の重要度が設定され、「運動会」のキーワード情報５８に−１０％表示の重要度が設定されている場合、各重要度の画像サイズの変動分の総和は、（２０％＋０％−１０％）＝１０％であるから、画像サイズ決定部６６は、１０％拡大させた１１０％を当該静止画像ファイル５４のサムネイル画像９３の画像サイズとして決定する。
【００９４】
上記実施形態では、操作部９５としてスライドバー式のＧＵＩを示したが、これに限ることなく、例えば、図１４のサムネイル表示画面１２０に示すように、チェックボックス式のＧＵＩとしてもよい。
【００９５】
サムネイル表示画面１２０の重要度設定部１２２には、メモリカード５２に記憶された各静止画像ファイル５４に含まれる各キーワード情報５８のそれぞれに対応した複数の操作部１２４が設けられている。操作部１２４は、キーワード情報５８として入力された文字列を表示するためのタグ１２５と、設定する重要度に対応した複数のチェックボックス１２６とで構成されている。
【００９６】
この重要度設定部１２２では、設定したい重要度のチェックボックス１２６をタッチ操作し、そのチェックボックス１２６に図中黒丸で示すチェックを入れることにより、その操作部１２４に対応したキーワード情報５８に、チェックボックス１２６に応じた重要度が設定される。なお、操作部の形態は、これらに限ることなく、重要度の設定が可能な任意の形態でよい。
【００９７】
上記実施形態では、重要度設定部９２に対して各キーワード情報５８のそれぞれに対応した全ての操作部９５を一列に表示するようにしたが、これに限ることなく、図１５のサムネイル表示画面１３０に示すように、キーワード情報５８の種別に応じて重要度設定部１３２に表示する操作部９５を分類してもよい。重要度設定部１３２には、表示する操作部９５の分類を示すタグ１３３が設けられている。タグ１３３をタッチ操作すると、その分類の操作部９５が重要度設定部１３２に表示される。
【００９８】
この場合には、例えば、図１６に示すように、入力するキーワード情報５８の分類を設定するための分類設定部１４２をキーワード入力画面１４０に設けることで、「分類」−「詳細キーワード」といった階層構造を予めキーワード情報５８に持たせておけばよい。なお、図１６では、分類毎にチェックボックス１４４を設け、チェックボックス１４４にチェックを入れることで分類を設定する分類設定部１４２を示したが、分類設定部１４２の形態は、これに限ることなく、キーワード情報５８に分類を設定することが可能な任意の形態でよい。また、キーワード情報５８の階層構造は、２層に限ることなく、「大分類」−「小分類」−「詳細キーワード」といったように、さらに細かく分類してもよい。
【００９９】
上記実施形態では、液晶ディスプレイ２０の前面にタッチパネル２４を設け、タッチ操作によってキーワード情報５８の入力を行えるようにしたが、キーワード情報５８の入力方法は、これに限らず、例えば、カメラ本体４に十字キーなどの操作部材を設け、操作部材の操作によって入力できるようにしてもよいし、カメラ本体４にマウスやキーボードなどを接続し、これらの操作によって入力できるようにしてもよい。また、上記実施形態では、デジタルカメラ２で静止画像ファイル５４にキーワード情報５８を入力できるようにしたが、キーワード情報５８は、パーソナルコンピュータなどの他の機器で入力するようにしてもよい。
【０１００】
さらに、上記実施形態では、撮影日時のキーワード情報５８のみを撮影完了時に自動的に入力し、その他のキーワード情報５８は、ユーザに手動で入力させるようにしたが、これに限ることなく、例えば、周知の顔認識技術を用いて人名のキーワード情報５８を自動的に入力してもよいし、周知のシーン認識技術を用いて撮影シーンのキーワード情報５８を自動的に入力してもよい。なお、顔認識で人名のキーワード情報５８を自動的に入力する場合には、顔画像と人名とを対応付けたテーブルデータを予め記憶させておけばよい。また、顔画像自体をキーワード情報５８として記憶させるようにしてもよい。
【０１０１】
上記実施形態では、サムネイル表示画面９０を更新した際にも、アイコン１００を表示させたりして各サムネイル画像９３の順序を維持するようにしたが、これに限ることなく、例えば、画像サイズの大きい順などに各サムネイル画像９３を並べ替えてもよい。
【０１０２】
上記実施形態では、サムネイル表示部９１と重要度設定部９２とを同一画面上に表示するようにしたが、これらを別画面に分け、順次切り替えて表示させるようにしてもよい。
【０１０３】
上記実施形態では、サムネイル表示ボタン７６のタッチ操作によって各静止画像ファイル５４のサムネイル表示が指示された際に、基準値である１００％の画像サイズで各サムネイル画像９３を生成するようにしたが、これに限ることなく、例えば、前回行われた重要度の設定結果を記憶しておき、その設定結果に応じた画像サイズで各サムネイル画像９３を生成するようにしてもよい。
【０１０４】
上記実施形態では、カメラ本体４に対して着脱自在なメモリカード５２に記憶された静止画像ファイル５４をサムネイル表示する例を示したが、本体に内蔵された記憶媒体に記憶された静止画像ファイル５４をサムネイル表示する際や、サーバなどに記憶された静止画像ファイル５４をネットワークを介して読み出してサムネイル表示する際に、本発明を適用してもよい。
【０１０５】
上記実施形態では、サムネイル表示が指示された際に、メモリカード５２に記憶された各静止画像ファイル５４のメタデータ記憶領域５６のそれぞれから全てのキーワード情報５８を読み出し、それらに対応した各操作部９５を生成するようにしたが、必ずしもメタデータ記憶領域５６に記憶された全てのキーワード情報５８を読み出さなくてもよい。例えば、キーワード情報５８をメタデータ記憶領域５６に記憶させる際に、予め各キーワード情報５８にランク付けを行う。そして、サムネイル表示が指示された際に、メタデータ記憶領域５６に記憶された各キーワード情報５８の中からランクの高い上位数個のキーワード情報５８のみを読み出す。こうすれば、操作部９５の数が多すぎる場合などに、読み出すキーワード情報５８の数に応じて操作部９５の数を絞ることができ、重要度設定部９２における重要度の設定の操作性をより高めることができる。なお、このように読み出すキーワード情報５８の数を絞る際に、その数をユーザが任意に設定できるようにしてもよい。
【０１０６】
上記実施形態では、キーワード情報５８をメタデータとして静止画像ファイル５４に記憶させるようにしたが、これに限ることなく、例えば、画像データ５７とキーワード情報５８とを対応付けたテーブルデータのファイルを作成し、このファイルで全てのキーワード情報５８を一括管理するようにしてもよい。
【０１０７】
上記実施形態では、静止画像ファイル５４をサムネイル表示する例を示したが、動画像ファイルをサムネイル表示する際、及び静止画像ファイルと動画像ファイルとを同時にサムネイル表示する際に、本発明を適用してもよい。なお、動画像ファイルをサムネイル表示する場合には、動画像の所定のコマを用いてサムネイル画像９３を生成すればよい。
【０１０８】
上記実施形態では、画像表示装置としてデジタルカメラ２を示したが、画像表示装置は、デジタルフォトフレームやパーソナルコンピュータなどでもよい。
【符号の説明】
【０１０９】
２  デジタルカメラ（画像表示装置）
２０  液晶ディスプレイ（表示部）
３４  ＣＰＵ（重要度設定制御手段）
５４  静止画像ファイル
５７  画像データ
５８  キーワード情報
６５  サムネイル表示制御部
６６  画像サイズ決定部
８０  キーワード入力画面（キーワード入力手段）
９０  サムネイル表示画面
９２  重要度設定部
【図１】
2011055190.tif 000003
【図２】
2011055190.tif 000004
【図３】
2011055190.tif 000005
【図４】
2011055190.tif 000006
【図５】
2011055190.tif 000007
【図６】
2011055190.tif 000008
【図７】
2011055190.tif 000009
【図８】
2011055190.tif 000010
【図９】
2011055190.tif 000011
【図１０】
2011055190.tif 000012
【図１１】
2011055190.tif 000013
【図１２】
2011055190.tif 000014
【図１３】
2011055190.tif 000015
【図１４】
2011055190.tif 000016
【図１５】
2011055190.tif 000017
【図１６】
2011055190.tif 000018